(57)【特許請求の範囲】
【請求項１】
建築躯体からチャンネルを吊り下げ、このチャンネルの下部に天井板を支持する天井支持バーを設け、この天井支持バーが対をなしてハンガーで取り付けられ、同対をなす天井支持バーどうしの間に設備機器を取りつけるとともに、同天井支持バーの設備機器側とは反対側に天井板を載置してなる天井構造において、上記天井支持バーの下端部分を上記天井板を載置する下部水平片となし、上記ハンガーが上記チャンネルに跨って取り付くものであるとともに、同ハンガーを上記天井支持バーの上方部分に設けた上部係合片とこの上部係合片より下位で下方部分に設けた下部係合片とにそれぞれ係合させて、同天井支持バーを上記チャンネルに引きつけて固定され、上記天井支持バーの下端付近側面が、同天井支持バーどうしの間に設けられる上記設備機器としての照明器具の反射板の役割を果たす下部傾斜板であることを特徴とする天井構造。
【請求項２】
上記下部係合片よりも上記天井支持バーの下端部側に上記下部傾斜板があり、同下部係合片と同下部傾斜板との間に水平部を設けたことを特徴とする請求項１記載の天井構造。
【請求項３】
上記天井支持バーが、上記チャンネルに引きつけられた上で接触して固定されるように上記上部係合片の近傍に上部水平片を設けたことを特徴とする請求項１ないし請求項２いずれか記載の天井構造。
【請求項４】
上記上部水平片と上記下部係合片との間に上記ハンガーに接触する垂直部を設けたことを特徴とする請求項３記載の天井構造。
【請求項５】
上記下部水平片が、折り返されて２重に形成されているものであることを特徴とする請求項１ないし請求項４いずれか記載の天井構造。
【請求項６】
上記下部係合片が、折り返されて２重に形成されているものであることを特徴とする請求項１ないし請求項５いずれか記載の天井構造。
【請求項７】
上記ハンガーが、下方へ垂れ下がる長垂下片とこの長垂下片よりも短くて下方へ垂れ下がる短垂下片とを有し、同長垂下片の下端部には上記下部係合片が係合する下部係合受部が形成され、同短垂下片の下端部には上記上部係合片が係合する上部係合受部が形成されていることを特徴とする請求項１ないし請求項６いずれか記載の天井構造。
【請求項８】
上記長垂下片の上部近傍から側方へ突出する係止片を設けたことを特徴とする請求項７記載の天井構造。
【請求項９】
上記ハンガーが対をなしているとともに、上記係止片が互いに延設されて一体化させた延設係止片としたことを特徴とする請求項８記載の天井構造。
【請求項１０】
上記係止片の一部が切り欠かかれているものであることを特徴とする請求項８または請求項９記載の天井構造。
【発明の詳細な説明】
【０００１】
【発明の属する技術分野】
本発明は、天井構造に関し、具体的には、建物の室内の天井などに利用されるのに有用な天井構造に関するものである。
【０００２】
【従来の技術】
従来の天井構造としては、例えば、図１２に示すごとく、建築躯体からチャンネル（１）を吊り下げ、このチャンネル（１）の下部に天井板（２）を支持する断面略逆Ｔ字型の支持バー体（１２）を設け、この支持バー体（１２）が対をなしてハンガー体（１３）で取り付けられ、同対をなす支持バー体（１２）どうしの間に照明器具（６）などのような設備機器をライン状に配置して取りつけるとともに、同支持バー体（１２）の照明器具（６）側とは反対側に天井板（２）を載置してなっていたものが知られていた。
【０００３】
また、図１３ないし図１５に示すごとく、建築躯体からチャンネル（１）を吊り下げ、このチャンネル（１）の下部に天井板（２）を支持する断面略釣り針型の支持部材（１４）を設け、この支持部材（１４）が対をなしてハンガー部材（９）で取り付けられ、同対をなす支持部材（１４）どうしの間に照明器具（６）などのような設備機器をライン状に配置して取りつけるとともに、同支持部材（１４）の照明器具（６）側とは反対側に天井板（２）を載置してなっていたものも知られていた。なお、ハンガー部材（９）としては、同図に示すごとく、ビス（１１）などにより、チャンネル（１）に直に取り付けられるような工夫がなされていてもかまわないものであった。
【０００４】
【発明が解決しようとする課題】
しかしながら、このような天井構造においては、図１２に示す場合または図１３に示す場合のいずれにしても、支持バー体（１２）や支持部材（１４）の片側に天井板（２）を載置し、他方側に照明器具（６）などのような設備機器を配置していたために、それぞれの荷重をそれぞれの側で受けることになっていたものであった。具体的には、天井板（２）としては、図１２に示すごとき場合であると、断面略逆Ｔ字型の支持バー体（１２）の水平部分でその荷重を受けていたとともに、照明器具（６）などのような設備機器としては、同図１２に示すごとき断面略逆Ｔ字型の支持バー体（１２）の頂部でその荷重を受けていたものであった。
【０００５】
また、図１３に示すごとき場合であると、断面略釣り針型の支持部材（１４）の下端片部分でその荷重を受けていたとともに、照明器具（６）などのような設備機器としては、同図１３に示すごとき上記天井板（２）が載置されている側とは反対側の支持部材（１４）の上端片部分などでその荷重を受けていたものであった。
【０００６】
そして、通常の場合、上記天井板（２）が載置されている側の方が、荷重としては大きいために、支持バー体（１２）や支持部材（１４）としては、照明器具（６）などのような設備機器側にたわみやすいものであった。このとき、支持バー体（１２）や支持部材（１４）の通りが悪くなり、結果として、見栄えが良くないものであった。すなわち、照明器具（６）などのような設備機器側の支持バー体（１２）や支持部材（１４）どうしの間隔が狭くなり、同照明器具（６）などのような設備機器が取り付けにくくなるものであった。しかも、天井板（２）が載置されている側の支持バー体（１２）や支持部材（１４）どうしの間隔が広くなり、支持バー体（１２）や支持部材（１４）における天井板（２）が載置されるための掛かり代が小さくなり、安全面を含めて取り付け施工が行いがたいという問題も生じていたものであった。
【０００７】
本発明は、上述の事実に鑑みてなされたものであって、その目的とするところは、取り付けられた設備機器側のスペースを常に確保することができる天井構造を提供することにある。
【０００８】
【課題を解決するための手段】
本発明の請求項１に係る天井構造は、建築躯体からチャンネル（１）を吊り下げ、このチャンネル（１）の下部に天井板（２）を支持する天井支持バー（３）を設け、この天井支持バー（３）が対をなしてハンガー（４）で取り付けられ、同対をなす天井支持バー（３）どうしの間に設備機器（５）を取りつけるとともに、同天井支持バー（３）の設備機器（５）側とは反対側に天井板（２）を載置してなる天井構造において、上記天井支持バー（３）の下端部分を上記天井板（２）を載置する下部水平片（３１）となし、上記ハンガー（４）が上記チャンネル（１）に跨って取り付くものであるとともに、同ハンガー（４）を上記天井支持バー（３）の上方部分に設けた上部係合片（３７）とこの上部係合片（３７）より下位で下方部分に設けた下部係合片（３４）とにそれぞれ係合させて、同天井支持バー（３）を上記チャンネル（１）に引きつけて固定され、上記天井支持バー（３）の下端付近側面が、同天井支持バー（３）どうしの間に設けられる上記設備機器（５）としての照明器具（６）の反射板の役割を果たす下部傾斜板（３２）であることを特徴とする。
【００１０】
本発明の請求項２に係る天井構造は、上記下部係合片（３４）よりも上記天井支持バー（３）の下端部側に上記下部傾斜板（３２）があり、同下部係合片（３４）と同下部傾斜板（３２）との間に水平部（３３）を設けたことを特徴とする。
【００１１】
本発明の請求項３に係る天井構造は、上記天井支持バー（３）が、上記チャンネル（１）に引きつけられた上で接触して固定されるように上記上部係合片（３７）の近傍に上部水平片（３６）を設けたことを特徴とする。
【００１２】
本発明の請求項４に係る天井構造は、上記上部水平片（３６）と上記下部係合片（３４）との間に上記ハンガー（４）に接触する垂直部（３５）を設けたことを特徴とする。
【００１３】
本発明の請求項５に係る天井構造は、上記下部水平片（３１）が、折り返されて２重に形成されているものであることを特徴とする。
【００１４】
本発明の請求項６に係る天井構造は、上記下部係合片（３４）が、折り返されて２重に形成されているものであることを特徴とする。
【００１５】
本発明の請求項７に係る天井構造は、上記ハンガー（４）が、下方へ垂れ下がる長垂下片（４４）とこの長垂下片（４４）よりも短くて下方へ垂れ下がる短垂下片（４２）とを有し、同長垂下片（４４）の下端部には上記下部係合片（３４）が係合する下部係合受部（４５）が形成され、同短垂下片（４２）の下端部には上記上部係合片（３７）が係合する上部係合受部（４１）が形成されていることを特徴とする。
【００１６】
本発明の請求項８に係る天井構造は、上記長垂下片（４４）の上部近傍から側方へ突出する係止片（４６）を設けたことを特徴とする。
【００１７】
本発明の請求項９に係る天井構造は、上記ハンガー（４）が対をなしているとともに、上記係止片（４６）が互いに延設されて一体化させた延設係止片（８）としたことを特徴とする。
【００１８】
本発明の請求項１０に係る天井構造は、上記係止片（４６）の一部が切り欠かかれているものであることを特徴とする。
【００１９】
【発明の実施の形態】
以下、本発明を実施形態に係る図面に基づいて詳しく説明する。
【００２０】
図１は、本発明の一実施形態に係る天井構造を示した断面図である。図２は、図１の天井構造の斜視図である。図３は、本発明の天井構造に用いられる一実施形態に係るハンガーを示した斜視図である。図４は、本発明の天井構造に用いられる一実施形態に係る天井支持バーを示した斜視図である。図５は、本発明の天井構造に用いられる一実施形態に係るハンガーと天井支持バーとを組み合わせた際の様子を示した断面図である。図６は、本発明の天井構造に用いられる一実施形態に係るハンガーと天井支持バーとを組み合わせて、同天井支持バーに天井板が載せられた際の様子を示した断面図である。図７は、本発明の天井構造に用いられる一実施形態に係るハンガーと天井支持バーとを組み合わせて、同天井支持バーの設備機器側から力が付加した際の様子を示した断面図である。図８は、本発明の天井構造に用いられる他の一実施形態に係るハンガーを示した斜視図である。図９は、本発明の天井構造に用いられる他の一実施形態に係るハンガーと天井支持バーとを組み合わせた際の様子を示した断面図である。図１０は、本発明の天井構造に用いられるさらに他の一実施形態に係るハンガーを示した斜視図である。図１１は、本発明の天井構造に用いられるさらに他の一実施形態に係るハンガーと天井支持バーとを組み合わせた際の様子を示した断面図である。
【００２１】
本発明の天井構造は、図１ないし図１１に示すごとく、建築躯体からチャンネル（１）を吊り下げ、このチャンネル（１）の下部に天井板（２）を支持する天井支持バー（３）を設け、この天井支持バー（３）が対をなしてハンガー（４）で取り付けられ、同対をなす天井支持バー（３）どうしの間に設備機器（５）を取りつけるとともに、同天井支持バー（３）の設備機器（５）側とは反対側に天井板（２）を載置してなる天井構造において、上記天井支持バー（３）の下端部分を上記天井板（２）を載置する下部水平片（３１）となし、上記ハンガー（４）が上記チャンネル（１）に跨って取り付くものであるとともに、同ハンガー（４）を上記天井支持バー（３）の上方部分に設けた上部係合片（３７）とこの上部係合片（３７）より下位で下方部分に設けた下部係合片（３４）とにそれぞれ係合させて、同天井支持バー（３）を上記チャンネル（１）に引きつけて固定されてなるものである。
【００２２】
上記チャンネル（１）は、図１および図２、図５ないし図７、図９、図１１に示すごとく、住宅やビルといった建築躯体の天井などから吊り下げられているものである。このチャンネル（１）としては、例えば、断面略Ｃ字型のものであるが、建築躯体から吊り下げられるものであれば、その他の形状のものが使用されたとしても、かまわないものである。このチャンネル（１）に跨って、上記ハンガー（４）が取り付けられるものである。そして、このハンガー（４）に水平片部（４３）を設けて、この水平片部（４３）でビス（１１）などにより、チャンネル（１）に直に取り付けられるような工夫がなされていてもかまわないものである。
【００２３】
上記天井支持バー（３）は、天井板（２）を支持するものであり、図１および図２、図５ないし図７、図９、図１１に示すごとく、上記チャンネル（１）の下部に設けられているものである。この天井支持バー（３）は、上記ハンガー（４）で吊り下げられるようにして取り付けられるものである。この天井支持バー（３）は、２本で対をなして向かい合わせるようにして平行に吊り下げられているものである。そして、この天井支持バー（３）を上記チャンネル（１）に引きつけて固定されているものである。さらに、この天井支持バー（３）どうしの間に設備機器（５）を取りつけるとともに、同天井支持バー（３）の設備機器（５）側とは反対側に天井板（２）を載置しているものである。すなわち、この天井支持バー（３）により、照明器具（６）や設備プレート（７）などの設備機器（５）が取り付けられる側と天井板（２）を載置している側とに分けられているものである。
【００２４】
なお、上記天井板（２）としては、図２に示すごとく、上記天井支持バー（３）以外に、必要に応じて、Ｈバー（１０）にて端部が被覆されるように取り付けられて支持されているものであってもかまわないものである。
【００２５】
そして、上記下部水平片（３１）は、図１、図４ないし図７、図９、図１１に示すごとく、上記天井支持バー（３）の一部であって、上記天井板（２）を直に載置しているものである。この下部水平片（３１）は、上記天井支持バー（３）の下端部分に形成されているものである。
【００２６】
上記上部係合片（３７）は、図１、図４ないし図７、図９、図１１に示すごとく、上記天井支持バー（３）の一部であって、上記天井支持バー（３）の上方部分に設けているものである。この上部係合片（３７）に上記ハンガー（４）の一部を係合させているものである。
【００２７】
上記下部係合片（３４）は、図１、図４ないし図７、図９、図１１に示すごとく、上記天井支持バー（３）の一部であって、上記上部係合片（３７）より下位で、上記天井支持バー（３）の下方部分に設けているものである。この下部係合片（３４）に上記ハンガー（４）の一部を係合させているものである。
【００２８】
本発明は、このような構成をとることによって、天井板（２）が載置されている側の方が設備機器（５）側よりも荷重としては大きいものであるが、天井支持バー（３）の下端部分の下部水平片（３１）にて天井板（２）を載置するとともに、ハンガー（４）を天井支持バー（３）の上方部分に設けた上部係合片（３７）とこの上部係合片（３７）より下位で下方部分に設けた下部係合片（３４）とにそれぞれ係合させて、天井支持バー（３）をチャンネル（１）に引きつけて固定するだけで、天井支持バー（３）としては設備機器（５）側にたわみにくいものとなり、その結果、設備機器（５）側のスペースを常に確保することができるものとなる。また、設備機器（５）側から天井板（２）が載置されている側に押すと、天井板（２）が載置されている側はたわみやすいので、施工誤差などで設備機器（５）側の間隔が狭くなってしまった場合は、簡単に広げることができるものである。
【００２９】
すなわち、本発明は、取り付けられた設備機器（５）側のスペースを常に確保することができるものである。
【００３０】
具体的には、図６に示すごとく、天井板（２）の荷重としては、天井支持バー（３）の下端部分の下部水平片（３１）にて受けられるものであり、この部分に例えば、同図のごとき力Ｐが作用しているものである。そして、この力Ｐの作用により、天井支持バー（３）としては、Ａ点を軸としてモーメント力が生じるものである。このとき、下部係合片（３４）の下部、すなわち、Ｂ点にてＡ点を中心として回転しようとするが、この下部係合片（３４）におけるハンガー（４）の係合部分があるために、抗力が働くとともに、同ハンガー（４）には引張力が生じるために、天井支持バー（３）は回転しにくいものとなる。このようなことから、天井支持バー（３）としては設備機器（５）側にたわみにくいものとなる。
【００３１】
しかも、図７に示すごとく、上記天井支持バー（３）において、設備機器（５）側から同図のごとき力Ｐ´が作用している場合、天井支持バー（３）としては、Ａ点を軸として図６に示す場合とは反対側にモーメント力が生じるものである。このとき、下部係合片（３４）の下部、すなわち、Ｂ点においては、大きな力は加わらず、緩む方向にある。また、ハンガー（４）には引張力が生じないために、図６に示す場合と比べて、天井支持バー（３）は回転しやすいものである。すなわち、設備機器（５）側から天井板（２）が載置されている側に押すと、天井板（２）が載置されている側はたわみやすいので、施工誤差などで設備機器（５）側の間隔が狭くなってしまった場合は、簡単に広げることができるものである。
【００３２】
また、図１、図４ないし図７、図９、図１１に示すごとく、上記天井支持バー（３）の下端付近側面が、同天井支持バー（３）どうしの間に設けられる上記設備機器（５）としての照明器具（６）の反射板の役割を果たす下部傾斜板（３２）であると、天井支持バー（３）の下端付近側面に設けられた下部傾斜板（３２）の存在により、天井支持バー（３）どうしの間に設けられる設備機器（５）としての照明器具（６）の反射板の役割を果たし、照明器具（６）の光を反射させて、配光を変えることができるとともに、建物の室内を確実に明るく照らし出すのに有用なものである。
【００３３】
さらに、図１、図４ないし図７、図９、図１１に示すごとく、上記下部係合片（３４）よりも上記天井支持バー（３）の下端部側に上記下部傾斜板（３２）があり、同下部係合片（３４）と同下部傾斜板（３２）との間に水平部（３３）を設けているものであると、下部係合片（３４）とこの下部係合片（３４）よりも天井支持バー（３）の下端部側にある下部傾斜板（３２）との間に設けられた水平部（３３）の存在により、設備機器（５）の一部を載置したりして、同設備機器（５）を取り付けることができるために、現場において同設備機器（５）の取り付け施工がより一層確実に行いやすいものとなる。
【００３４】
そして、図１、図４ないし図７、図９、図１１に示すごとく、上記天井支持バー（３）が、上記チャンネル（１）に引きつけられた上で接触して固定されるように上記上部係合片（３７）の近傍に上部水平片（３６）を設けているものであると、上部係合片（３７）の近傍に設けられた水平片（３６）の存在により、天井支持バー（３）としてはチャンネル（１）に引きつけられた上で接触して固定させることができるものとなり、チャンネル（１）に密着した状態で取り付け施工を完結させることができて、結果として、天井支持バー（３）の取り付け施工後の状態をより一層確実に安定させることができるものである。
【００３５】
なお、図１、図５ないし図７、図９、図１１に示すごとく、上記ハンガー（４）の水平片部（４３）でビス（１１）により、チャンネル（１）に直に取り付けられるような工夫がなされている場合、上記上部水平片（３６）がチャンネル（１）に密着した状態で、同ビス（１１）の締めしろがわずかに突出して残っているものである。
【００３６】
また、図１、図４ないし図７、図９、図１１に示すごとく、上記上部水平片（３６）と上記下部係合片（３４）との間に上記ハンガー（４）に接触する垂直部（３５）を設けているものであると、上部水平片（３６）と下部係合片（３４）との間に設けている垂直部（３５）の存在により、天井支持バー（３）としてはハンガー（４）に接触して固定させることができるものとなり、ハンガー（４）に密着した状態で取り付け施工を完結させることができて、結果として、天井支持バー（３）の取り付け施工後の状態をより一層確実に安定させることができるものである。
【００３７】
特に、図１、図４ないし図７、図９、図１１に示すごとく、上記下部水平片（３１）が、折り返されて２重に形成されているものであると、折り返されて２重に形成されている下部水平片（３１）にて天井板（２）を確実に安定させて載置させることができる上に、天井板（２）の荷重をより一層確実に分散させて受けやすいために、天井支持バー（３）としては設備機器（５）側にたわみにくいものとなり、その結果、設備機器（５）側のスペースを常により一層確保することができるものとなる。
【００３８】
同様に、図１、図４ないし図７、図９、図１１に示すごとく、上記下部係合片（３４）が、折り返されて２重に形成されているものであると、折り返されて２重に形成されている下部係合片（３４）にて同下部係合片（３４）にかかる天井支持バー（３）としての荷重がより一層確実に分散されて、その結果、下部係合片（３４）がハンガー（４）の一部に対してより一層安定して係合されるものとなる。
【００３９】
なお、図１、図３、図５ないし図１１に示すごとく、上記ハンガー（４）が、下方へ垂れ下がる長垂下片（４４）とこの長垂下片（４４）よりも短くて下方へ垂れ下がる短垂下片（４２）とを有し、同長垂下片（４４）の下端部には上記下部係合片（３４）が係合する下部係合受部（４５）が形成され、同短垂下片（４２）の下端部には上記上部係合片（３７）が係合する上部係合受部（４１）が形成されているものであると、下方へ垂れ下がる長垂下片（４４）の下端部に形成されている下部係合受部（４５）に下部係合片（３４）が係合するとともに、長垂下片（４４）よりも短くて下方へ垂れ下がる短垂下片（４２）の下端部に形成されている上部係合受部（４１）に上部係合片（３７）が係合することで、天井支持バー（３）としてはハンガー（４）でより一層確実、かつ、安定して取り付けられるものとなる。
【００４０】
特に、図８ないし図１１に示すごとく、上記長垂下片（４４）の上部近傍から側方へ突出する係止片（４６）を設けているものであると、長垂下片（４４）の上部近傍から側方へ突出する係止片（４６）にてハンガー（４）としてはチャンネル（１）に対してより一層安定した状態で跨って取り付けられるものとなるとともに、同係止片（４６）にてハンガー（４）と天井支持バー（３）との間のあそびが確実に少なくなり、ハンガー（４）と天井支持バー（３）の荷重がかかることによる変形が小さくなり、天井支持バー（３）としてはこの係止片（４６）を有するハンガー（４）でより一層確実、かつ、安定して取り付けられるものとなる。
【００４１】
さらに、図１０および図１１に示すごとく、上記ハンガー（４）が対をなしているとともに、上記係止片（４６）が互いに延設されて一体化させた延設係止片（８）としているものであると、ハンガー（４）が対をなしているとともに、係止片（４６）が互いに延設されて一体化させた延設係止片（８）にてハンガー（４）が傾いたりすることなく、天井支持バー（３）の取り付けピッチを精度良く決めることができて、現場においての取り付け施工がより一層確実に行いやすいものとなる。
【００４２】
そして、図８ないし図１１に示すごとく、上記係止片（４６）の一部が切り欠かかれているものであると、一部が切り欠かかれている係止片（４６）にて天井支持バー（３）としては施工現場においてハンガー（４）でより一層確実、かつ、安定して取り付けられるものとなる。
【００４３】
本発明の天井構造によると、図１ないし図１１に示すごとく、建築躯体からチャンネル（１）を吊り下げ、このチャンネル（１）の下部に天井板（２）を支持する天井支持バー（３）を設け、この天井支持バー（３）が対をなしてハンガー（４）で取り付けられ、同対をなす天井支持バー（３）どうしの間に設備機器（５）を取りつけるとともに、同天井支持バー（３）の設備機器（５）側とは反対側に天井板（２）を載置してなる天井構造において、上記天井支持バー（３）の下端部分を上記天井板（２）を載置する下部水平片（３１）となし、上記ハンガー（４）が上記チャンネル（１）に跨って取り付くものであるとともに、同ハンガー（４）を上記天井支持バー（３）の上方部分に設けた上部係合片（３７）とこの上部係合片（３７）より下位で下方部分に設けた下部係合片（３４）とにそれぞれ係合させて、同天井支持バー（３）を上記チャンネル（１）に引きつけて固定されてなるものであるので、天井板（２）が載置されている側の方が設備機器（５）側よりも荷重としては大きいものであるが、天井支持バー（３）の下端部分の下部水平片（３１）にて天井板（２）を載置するとともに、ハンガー（４）を天井支持バー（３）の上方部分に設けた上部係合片（３７）とこの上部係合片（３７）より下位で下方部分に設けた下部係合片（３４）とにそれぞれ係合させて、天井支持バー（３）をチャンネル（１）に引きつけて固定するだけで、天井支持バー（３）としては設備機器（５）側にたわみにくいものとなり、その結果、設備機器（５）側のスペースを常に確保することができるものとなる。また、設備機器（５）側から天井板（２）が載置されている側に押すと、天井板（２）が載置されている側はたわみやすいので、施工誤差などで設備機器（５）側の間隔が狭くなってしまった場合は、簡単に広げることができるものである。
【００４４】
すなわち、本発明は、取り付けられた設備機器（５）側のスペースを常に確保することができるものである。
【００４５】
【発明の効果】
本発明の請求項１に係る天井構造によると、天井板（２）が載置されている側の方が設備機器（５）側よりも荷重としては大きいものであるが、天井支持バー（３）の下端部分の下部水平片（３１）にて天井板（２）を載置するとともに、ハンガー（４）を天井支持バー（３）の上方部分に設けた上部係合片（３７）とこの上部係合片（３７）より下位で下方部分に設けた下部係合片（３４）とにそれぞれ係合させて、天井支持バー（３）をチャンネル（１）に引きつけて固定するだけで、天井支持バー（３）としては設備機器（５）側にたわみにくいものとなり、その結果、設備機器（５）側のスペースを常に確保することができるものとなる。また、設備機器（５）側から天井板（２）が載置されている側に押すと、天井板（２）が載置されている側はたわみやすいので、施工誤差などで設備機器（５）側の間隔が狭くなってしまった場合は、簡単に広げることができるものである。さらには、天井支持バー（３）の下端付近側面に設けられた下部傾斜板（３２）の存在により、天井支持バー（３）どうしの間に設けられる設備機器（５）としての照明器具（６）の反射板の役割を果たし、照明器具（６）の光を反射させて、配光を変えることができるとともに、建物の室内を確実に明るく照らし出すのに有用なものである。
【００４６】
すなわち、本発明は、取り付けられた設備機器（５）側のスペースを常に確保することができるものである。
【００４８】
本発明の請求項２に係る天井構造によると、請求項１記載の場合に加えて、下部係合片（３４）とこの下部係合片（３４）よりも天井支持バー（３）の下端部側にある下部傾斜板（３２）との間に設けられた水平部（３３）の存在により、設備機器（５）の一部を載置したりして、同設備機器（５）を取り付けることができるために、現場において同設備機器（５）の取り付け施工がより一層確実に行いやすいものとなる。
【００４９】
本発明の請求項３に係る天井構造によると、請求項１ないし請求項２いずれか記載の場合に加えて、上部係合片（３７）の近傍に設けられた水平片（３６）の存在により、天井支持バー（３）としてはチャンネル（１）に引きつけられた上で接触して固定させることができるものとなり、チャンネル（１）に密着した状態で取り付け施工を完結させることができて、結果として、天井支持バー（３）の取り付け施工後の状態をより一層確実に安定させることができるものである。
【００５０】
本発明の請求項４に係る天井構造によると、請求項３記載の場合に加えて、上部水平片（３６）と下部係合片（３４）との間に設けている垂直部（３５）の存在により、天井支持バー（３）としてはハンガー（４）に接触して固定させることができるものとなり、ハンガー（４）に密着した状態で取り付け施工を完結させることができて、結果として、天井支持バー（３）の取り付け施工後の状態をより一層確実に安定させることができるものである。
【００５１】
本発明の請求項５に係る天井構造によると、請求項１ないし請求項４いずれか記載の場合に加えて、折り返されて２重に形成されている下部水平片（３１）にて天井板（２）を確実に安定させて載置させることができる上に、天井板（２）の荷重をより一層確実に分散させて受けやすいために、天井支持バー（３）としては設備機器（５）側にたわみにくいものとなり、その結果、設備機器（５）側のスペースを常により一層確保することができるものとなる。
【００５２】
本発明の請求項６に係る天井構造によると、請求項１ないし請求項５いずれか記載の場合に加えて、折り返されて２重に形成されている下部係合片（３４）にて同下部係合片（３４）にかかる天井支持バー（３）としての荷重がより一層確実に分散されて、その結果、下部係合片（３４）がハンガー（４）の一部に対してより一層安定して係合されるものとなる。
【００５３】
本発明の請求項７に係る天井構造によると、請求項１ないし請求項６いずれか記載の場合に加えて、下方へ垂れ下がる長垂下片（４４）の下端部に形成されている下部係合受部（４５）に下部係合片（３４）が係合するとともに、長垂下片（４４）よりも短くて下方へ垂れ下がる短垂下片（４２）の下端部に形成されている上部係合受部（４１）に上部係合片（３７）が係合することで、天井支持バー（３）としてはハンガー（４）でより一層確実、かつ、安定して取り付けられるものとなる。
【００５４】
本発明の請求項８に係る天井構造によると、請求項７記載の場合に加えて、長垂下片（４４）の上部近傍から側方へ突出する係止片（４６）にてハンガー（４）としてはチャンネル（１）に対してより一層安定した状態で跨って取り付けられるものとなるとともに、同係止片（４６）にてハンガー（４）と天井支持バー（３）との間のあそびが確実に少なくなり、ハンガー（４）と天井支持バー（３）の荷重がかかることによる変形が小さくなり、天井支持バー（３）としてはこの係止片（４６）を有するハンガー（４）でより一層確実、かつ、安定して取り付けられるものとなる。
【００５５】
本発明の請求項９に係る天井構造によると、請求項８記載の場合に加えて、ハンガー（４）が対をなしているとともに、係止片（４６）が互いに延設されて一体化させた延設係止片（８）にてハンガー（４）が傾いたりすることなく、天井支持バー（３）の取り付けピッチを精度良く決めることができて、現場においての取り付け施工がより一層確実に行いやすいものとなる。
【００５６】
本発明の請求項１０に係る天井構造によると、請求項８または請求項９記載の場合に加えて、一部が切り欠かかれている係止片（４６）にて天井支持バー（３）としては施工現場においてハンガー（４）でより一層確実、かつ、安定して取り付けられるものとなる。
【図面の簡単な説明】
【図１】本発明の一実施形態に係る天井構造を示した断面図である。
【図２】図１の天井構造の斜視図である。
【図３】本発明の天井構造に用いられる一実施形態に係るハンガーを示した斜視図である。
【図４】本発明の天井構造に用いられる一実施形態に係る天井支持バーを示した斜視図である。
【図５】本発明の天井構造に用いられる一実施形態に係るハンガーと天井支持バーとを組み合わせた際の様子を示した断面図である。
【図６】本発明の天井構造に用いられる一実施形態に係るハンガーと天井支持バーとを組み合わせて、同天井支持バーに天井板が載せられた際の様子を示した断面図である。
【図７】本発明の天井構造に用いられる一実施形態に係るハンガーと天井支持バーとを組み合わせて、同天井支持バーの設備機器側から力が付加した際の様子を示した断面図である。
【図８】本発明の天井構造に用いられる他の一実施形態に係るハンガーを示した斜視図である。
【図９】本発明の天井構造に用いられる他の一実施形態に係るハンガーと天井支持バーとを組み合わせた際の様子を示した断面図である。
【図１０】本発明の天井構造に用いられるさらに他の一実施形態に係るハンガーを示した斜視図である。
【図１１】本発明の天井構造に用いられるさらに他の一実施形態に係るハンガーと天井支持バーとを組み合わせた際の様子を示した断面図である。
【図１２】一従来例に係る天井構造を示した断面図である。
【図１３】他の一従来例に係る天井構造を示した断面図である。
【図１４】図１３の従来例に係る天井構造の要部のみの断面図である。
【図１５】図１３の従来例の天井構造に用いられるハンガー体を示した斜視図である。
【符号の説明】
１    チャンネル
２    天井板
３    天井支持バー
４    ハンガー
５    設備機器
６    照明器具
８    延設係止片
３１  下部水平片
３２  下部傾斜板
３３  水平部
３４  下部係合片
３５  垂直部
３６  上部水平片
３７  上部係合片
４１  上部係合受部
４２  短垂下片
４４  長垂下片
４５  下部係合受部
４６  係止片
【図１】
0003873614.tif 000002
【図２】
0003873614.tif 000003
【図３】
0003873614.tif 000004
【図４】
0003873614.tif 000005
【図５】
0003873614.tif 000006
【図６】
0003873614.tif 000007
【図７】
0003873614.tif 000008
【図８】
0003873614.tif 000009
【図９】
0003873614.tif 000010
【図１０】
0003873614.tif 000011
【図１１】
0003873614.tif 000012
【図１２】
0003873614.tif 000013
【図１３】
0003873614.tif 000014
【図１４】
0003873614.tif 000015
【図１５】
0003873614.tif 000016